(57)【要約】【課題】動画が付属する通信が可能な通信機能と番組の記録を実現する電子機器を提供する。【解決手段】実施形態において、通信制御方法は、ネットワークを通じて少なくとも音声による通信を行う通信処理を具備し、さらに同時に別の処理を行うことが可能な電子機器において、前記通信制御中、同時に別の処理を行う際、必要に応じて、事前に報知の上で、前記通信に付属する前記映像信号の画質及び前記音声信号の音質の少なくとも一方を標準値よりも低下する。【選択図】図２
2014072662.tif 000002
【特許請求の範囲】
【請求項１】
ネットワークを通じて少なくとも音声による通信を行う通信処理を具備し、さらに同時に別の処理を行うことが可能な電子機器において、
前記通信制御中、同時に別の処理を行う際、必要に応じて、事前に報知の上で、前記通信に付属する前記映像信号の画質及び前記音声信号の音質の少なくとも一方を標準値よりも低下することができる通信制御方法。
【請求項２】
前記同時に行う別の処理は、放送コンテンツの録画を含む請求項１記載の通信制御方法。
【請求項３】
前記通信制御手段は、通信制御を行う装置にて同時に別の処理を行うことを可能にするため、必要に応じて、事前に報知の上で、
前記通信処理手段による前記通信に付属する前記映像信号の送信または受信の少なくとも一方をさらに中止することができる請求項１または２のいずれかの通信制御方法。
【請求項４】
前記通信制御手段は、請求項１〜３の機能でもなお、並行して処理を対応できないときは、必要に応じて、他の装置に通信を転送する機構をさらに具備する請求項１〜３のいずれかに記載の通信制御方法。
【請求項５】
前記同時に行う別の処理が終了したとき、請求項１に応じて、前記通信処理手段による前記通信に付属する前記映像信号の画質及び前記音声信号の音質の少なくとも一方を標準値よりも低下させていた場合は、それを標準に戻す機能を具備する請求項１〜４のいずれかに記載の通信制御方法。
【請求項６】
前記通信処理手段による前記通信に付属する前記映像信号の画質及び前記音声信号の音質の少なくとも一方を標準値よりも低下させていた場合は、それを標準に戻す折、その旨報知する機能を具備する請求項５記載の通信制御方法。
【請求項７】
前記同時に行う別の処理の開始または終了する時刻があらかじめ判明している場合、その一定時間前に、標準値より低下、映像の送受信停止、同時処理終了による元の状態への復帰を一定時間前に報知する手段をさらに具備する請求項１〜６のいずれかに記載の通信制御方法。
【請求項８】
前記画質及び前記音声信号の音質の少なくとも一方を標準値よりも低下させる手段として、
画像ビットレートの低減、解像度の低減、色数の低減、音声Ｃｏｄｅｃアルゴリズムの変更、サンプリング周波数の変更を含む請求項１〜７のいずれかに記載の通信制御方法。
【発明の詳細な説明】
【技術分野】
【０００１】
本発明の実施形態は、電子機器、例えば記録再生装置と同時に動作可能な通信制御方法に関する。
【背景技術】
【０００２】
インターネット網や高速通信網の普及に伴い、主としてテレビジョン放送の番組を視聴するテレビジョン受信装置(以下、テレビ装置と略称する)あるいはモニタ装置を接続することにより番組の記録(録画)と再生が可能な記録再生装置においても、例えばＩＰ(Internet Protocol)を用いる音声通信あるいは映像(動画)が付属する通信が可能な通信機能(ＩＰ電話)の利用が可能である。なお、番組の記録と再生が可能な記録再生機能を持つテレビ装置も広く普及している。
【先行技術文献】
【特許文献】
【０００３】
【特許文献１】特開２００５−１０９８５８号公報
【発明の概要】
【発明が解決しようとする課題】
【０００４】
テレビ装置あるいは記録再生装置における番組の記録や再生もしくはダビング(複製)時には、映像及び音声の圧縮もしくは伸張が必要であり、システムリソースの使用率が増大体する。
【０００５】
例えば、画像品質の高いＨＤ(High-Definition)映像の録画(記録)と動画が付属するＩＰ電話の利用とが同時に生じる(リソース使用の競合が生じる)場合等において、いずれかの処理に制限が生じる場合がある。
【０００６】
一方、システムリソースを増大することは、コストの上昇を招くとともに、通常使用時には、システムリソースが大幅に余剰することになる。
【０００７】
本発明の目的は、システムリソースのコストを抑えながら、動画が付属する通信が可能な通信機能と番組の記録を実現する通信制御方法を提供することである。
【課題を解決するための手段】
【０００８】
実施形態において、通信制御方法は、ネットワークを通じて少なくとも音声による通信を行う通信処理を具備し、さらに同時に別の処理を行うことが可能な電子機器において、前記通信制御中、同時に別の処理を行う際、必要に応じて、事前に報知の上で、前記通信に付属する前記映像信号の画質及び前記音声信号の音質の少なくとも一方を標準値よりも低下する。
【図面の簡単な説明】
【０００９】
【図１】実施形態の記録再生装置(電子機器)の一例を示す。
【図２】実施形態の画像形成装置における通信機能と番組の記録の一例を示す。
【図３】実施形態の画像形成装置における通信機能と番組の記録の一例を示す。
【図４】実施形態の画像形成装置における通信機能動作時の画面表示の一例を示す。
【図５】実施形態の画像形成装置における通信機能動作時の画面表示の一例を示す。
【発明を実施するための形態】
【００１０】
以下、実施形態について、図面を参照して説明する。
【００１１】
図１は、実施形態が適用可能な記録再生装置（テレビジョン受信装置）と記録再生装置に組み込まれる通信機能の一例を示す。なお、以下に説明する要素や構成または機能は、ハードウエアで実現するものであってもよいし、マイクロコンピュータ（ＣＰＵあるいは処理装置）等を用いてソフトウエアで実現するものであってもよい。
【００１２】
図１に示すテレビジョン受信装置（電子機器、以下、テレビ装置と称する）１０１は、例えばチューナ１１１、復調部１１２、信号処理部１１３、音声処理部１２１、映像処理部１３１、ＯＳＤ処理部１３２、表示処理部１３３、制御部１５０、操作入力部１６１、及び受光部１６２を備える。また、テレビ装置１０１は、スピーカ１２２及びディスプレイ１３４を備える。
【００１３】
チューナ１１１は、例えばアンテナＡＮＴが受信する放送信号を受けつけ、放送信号のチューニング（チャンネル選局）を行う。チューナ１１１は、チューニングしたチャンネルの放送信号を復調部１１２に入力する。なお、チューナ１１１は、外部入力としての映像及び音声からなるコンテンツ（番組）の入力も受けつけることができる。また、チューナ１１１は、少なくとも２つのコンテンツを同時に処理可能で、例えば空間波として供給される任意のチャンネルの番組と、例えば外部入力から入力される画像品質の高いＨＤ（High-Definition）映像とを処理できる。なお、ＨＤ映像は、例えばネットワークあるいは専用の配信網を経由して取得することもできる。
【００１４】
復調部１１２は、チューニングしたチャンネルの放送信号もしくは外部入力コンテンツを復調する。復調部１１２は、復調した放送信号（コンテンツ）を信号処理部１１３に、入力する。
【００１５】
信号処理部１１３は、コンテンツを処理する、例えばＤＳＰ（Digital Signal Processor）を、少なくとも含む。信号処理部１１３は、復調部１１２からのコンテンツを、映像信号、音声信号及びその他のデータに分離し、音声処理部１２１に音声信号を、映像処理部１３１に映像信号を、それぞれ供給する。信号処理部１１３はまた、制御部１５０及び／またはＯＳＤ処理部１３２に、分離したデータを供給する。
【００１６】
音声処理部１２１は、信号処理部１１３からの音声信号を、スピーカ１２２により再生可能なフォーマットの信号（オーディオ出力）にデコード（変換）する。音声処理部１２１は、オーディオ出力をスピーカ１２２に供給する。スピーカ１２２は、オーディオ出力に対応する音声及び／または音響（Audio）を再生する。なお、スピーカ１２２の代わりに音声出力端子を備える構成であってもよい。
【００１７】
映像処理部１３１は、信号処理部１１３から受信した映像信号を、ディスプレイ１３４で再生可能なフォーマットの映像信号にデコード（変換）する。また、映像処理部１３１は、ＯＳＤ処理部１３２から供給されるＯＳＤ信号を映像信号に重畳する。映像処理部１３１は、映像信号を表示処理部１３３に出力する。
【００１８】
ＯＳＤ処理部１３２は、信号処理部１１３から供給されるデータ信号や、制御部１５０から供給される制御信号に基づいて、ＧＵＩ（Graphical User Interface、グラフィカルユーザインタフェース）画面表示、字幕、時刻、または他の情報などを、画面の表示に重畳して表示するためのＯＳＤ信号を生成する。
【００１９】
表示処理部１３３は、制御部１５０からの制御に基づき、例えばデコードした映像信号に対し、色味、明るさ、シャープネス、コントラスト、またはその他の画質調整を行う。表示処理部１３３は、画質調整を施した映像信号をディスプレイ１３４に供給する。ディスプレイ１３４は、供給される映像信号に対応する映像（Video）を表示する。
【００２０】
ディスプレイ１３４は、一例としては、液晶表示パネルと、液晶表示パネルを照明するバックライトとを備える液晶表示装置である。なお、ディスプレイ１３４の代わりに映像出力端子を備える構成であってもよい。
【００２１】
制御部１５０は、テレビ装置１０１の各部の動作を制御する制御部（制御ブロック）であり、例えばＣＰＵ（主制御ユニット）１５１、ＲＯＭ（読み出し専用メモリ）１５２、ＲＡＭ（書き換え可能（ランダムアクセス）メモリ）１５３、ＥＥＰＲＯＭ（不揮発性メモリ）１５４、予約録画管理部１５５及びＩＰ（Internet Protocol）電話コントローラ１９０等を備える。なお、予約録画管理部１５５やＩＰ電話コントローラ１９０は、制御部１５０（ＣＰＵ１５１）のファームウエアとして用意されてもよい。また、ＩＰコントローラ１９０は、予め用意されたプログラムに従い動作するＩＰ電話プログラム、例えばＳｋｙｐｅ社が提供するインターネット電話である「Ｓｋｙｐｅ」等、に準じ、通信セット１９２のマイクロフォンを通じて取得するユーザの音声をパケット化し、インターネット網１を介して接続された通信相手先に送信できる。もちろん、通信セット１９２がカメラを有する場合は、例えばユーザの顔の映像や背景等をパケット化し、音声とともに送信できる。また、制御部１５０は、後段に説明する画質及び前記音声信号の音質の少なくとも一方を標準値よりも低下するために、画像ビットレートの低減、解像度の低減、色数の低減、音声Ｃｏｄｅｃアルゴリズムの変更、サンプリング周波数の変更を含む。
【００２２】
制御部１５０は、操作入力部１６１による操作入力（制御信号）もしくは受光部１６２を経由するリモートコントローラ（以下、リモコンと称する）１６３からの操作入力に対応して、テレビ装置１０１の各部の動作を制御する。
【００２３】
ＣＰＵ１５１は、種々の演算処理を実行する演算素子、ファームウエア、メモリ領域等を有し、ＲＯＭ１５２またはＥＥＰＲＯＭ１５４が記憶するプログラムを実行することにより、種々の機能を実現する。
【００２４】
ＲＯＭ１５２は、テレビ装置１０１を制御するプログラム、及び各種の機能を実現するプログラム等、を記憶する。ＣＰＵ１５１は、操作入力部１６１もしくはリモコン１６３から供給される操作入力に基づいて、ＲＯＭ１５２に記憶されているプログラムを起動する。これにより、制御部１５０は、各部の動作を制御する。
【００２５】
ＲＡＭ１５３は、ＣＰＵ１５１のワークメモリとして機能し、例えばＣＰＵ１５１の演算結果、ＣＰＵ１５１の制御により読み込まれたデータ、操作入力部１６１もしくはリモコン１６３により入力される操作入力と（操作入力に）対応する情報などを記憶する。
【００２６】
ＥＥＰＲＯＭ１５４は、各種の設定情報、及びプログラムなどを記憶する。
【００２７】
予約録画管理部１５５は、録画予約の設定（入力）を受けつけ、例えばＥＥＰＲＯＭ１５４に記憶させる。予約録画管理部１５５は、また、制御部１５０または（独立に設けられることもある）クロック（ＣＬＫ）によるクロックをカウントし、録画予約に従う予約録画の開始と終了等を管理するとともに、放送信号が含む時刻情報や（外部の）電波時計の受信に従い、録画予約のための時刻（時計）のずれを管理する。
【００２８】
ＩＰ電話コントローラ１９０は、インターネットプロトコル（Internet Protocol)を用いる音声通信あるいは映像(動画)が付属する通信が可能な通信機能を、例えばインターネット網１を経由するＩＰ電話として実現できる。
【００２９】
ストレージ１６０は、コンテンツを記憶する記憶媒体を有する。ストレージ１６０は、例えば、ハードディスクドライブ（ＨＤＤ）や半導体メモリ（メモリカード）等への記録（書き込み）と再生（読み出し）が可能で、信号処理部１１３が取得する録画ストリームや音声データを記憶する。ストレージ１６０による記憶に際しては、ＣＰＵ１５１の制御に基づくＲＡＭ１５３上でのデータ処理（圧縮／伸張、符号化）や、記憶形式に従う処理が実行される。また、エンコーダやデコーダ、ＣＯＤＥＣ等が専用に設けられてもよい。なお、ストレージ１６０は、ＨＤ（High-Definition）映像の記録と再生も可能であるがＨＤ映像の記録と再生においては、制御部１５０のシステムリソースの多くを占有する場合がある。
【００３０】
操作入力部１６１は、例えば操作キー、（ＵＳＢ(Universal Serial Bus)接続の）キーボードあるいはタブレット端末装置等に代表される操作入力に応じて操作信号を生成するさまざまな入力装置を含む。操作入力部１６１における操作入力に応じて生成される操作信号に従い、制御部１５０が、対象となる各部に制御信号を出力する。また、テレビ装置１０１がディスプレイ１３４を備える場合、ディスプレイ１３４と一体に形成されるタッチパネルも操作入力部１６１として利用可能である。
【００３１】
受光部１６２は、例えばリモコン１６３による操作入力を受信し、制御部１５０に供給する。制御部１５０は、受光部１６２からの操作入力に対応する操作信号をＣＰＵ１５１に入力する。なお、リモコン１６３は、受光部１６２との間で、赤外線通信を行う形式であってもよいし、例えば所定周波数の電波等の他の無線通信を行う形式であってもよい。
【００３２】
ネットワークコントローラ１７１は、インターネット網１を経由する（インターネット網１を介して接続可能な）さまざまな通信相手先との間のデータ（コンテンツ）や、上述のＩＰ電話コントローラ１９０を用いる通信機能のためのデータの受け渡しを制御する。
【００３３】
ＨＤＭＩ（登録商標）規格（すなわちＨＤＭＩ(High Definition Multimedia Interface)）に従い、制御信号及び映像（Video）データと音声（音響／Audio）データの受け渡しを行うＨＤＭＩ処理部１８１は、ＨＤＭＩ端子を備える外部機器または大容量メモリ（外付けＨＤＤ）等との間で、映像及び音声を含むストリームの送信と受信が可能である。外部機器としては、例えば、ブルーレイ（登録商標）レコーダ、ＤＶＤ（Digital Versatile Disk）レコーダ、ハードディスク（ＨＤＤ）レコーダ、または他の機器とＨＤＭＩ規格に対応した機器（ＨＤＭＩ機器）、あるいはＮＡＳ（Network Attached Storage）等、がある。なお、テレビ装置１０１は、例えばＳｅｒｉａｌ−ＡＴＡ（Serial-Advanced Technology Attachment）やＨＤＭＩ−ＨＥＣ（HDMI Ethernet Channel）との接続が可能なＬＡＮ端子、等の他のインタフェースを備えることができる。
【００３４】
ＩＰ電話コントローラ１９０は、ＩＰ電話入力出力部１９１を経由し、通信セット１９２のカメラが取得するユーザの顔あるいはその周囲の映像及びマイク（マイクロフォン）が取得するユーザの音声を、ネットワークコントローラ１７１を経由するインターネット網１による通信機能を実現可能に、個々の要素に処理を分担する。例えば、映像データについては、ストレージ１６０へ記録する映像への信号処理に準じて符号化し、圧縮する。音声データについても同様に、ストレージ１６０へ記録する映像への信号処理に準じて符号化し、圧縮する。また、着信した通話については、音声データと映像データとを分離した後、それぞれをデコードし、音声出力は、通信セット１９２の、例えばイヤホンもしくはイヤーパット等を伴うスピーカユニット（例えばヘッドフォン）へ出力し、映像出力については、ディスプレイ１３４の画面表示内の所定の領域へ表示する。
【００３５】
ところで、画像品質の高いＨＤ(High-Definition)映像の録画と動画が付属するＩＰ電話の利用とが同時に生じる(リソース使用の競合が生じる)場合等においては、システムリソースを増大することによるコストの上昇を抑えることに関連して、ＩＰ電話の機能に制限を与えることがある。例えば、画素数が１９２０×１０８０(ｉ)、音声サンプリング周波数が４８ｋのフルハイビジョンと呼ばれるコンテンツを、画質及び音質をそのままの状態で録画するＨＤ録画時は、システムリソースの使用率が大幅に増大する。また、画素数が１３８０×１０８０で、音声サンプリング周波数が１８ｋのハイビジョンと呼ばれるコンテンツを２番組同時に録画する（複数録画の）場合、余剰するシステムリソースは、ほとんど無いと予測できる。
【００３６】
このような背景から、ＩＰ電話が着信した場合に、例えば図３に示すように、通話開始（着信応答）時［１１］に、コンテンツの録画中であることを検出し［１２−Ｙｅｓ］、録画状態が複数録画であることを検出した場合［１３−Ｙｅｓ］は、着信したＩＰ電話をユーザが保有するモバイル端末等に転送できる（ユーザの手元に、モバイル端末がある）場合は［１４−Ｙｅｓ］、ＩＰ電話をモバイル端末で受信して、テレビ装置１０１以外で利用する［２０］ことが好ましい。一方、着信したＩＰ電話をユーザが保有するモバイル端末等に転送できるが、通話が困難である（ユーザの手元に、モバイル端末が無い）場合［１４−Ｎｏ］、モバイル端末の機能である留守番応答、等により、着信したＩＰ電話に対する応答（通話）を一時的に保留（中止）する［１９］。この場合、着信がある旨を、記録に残すことが好ましい。
【００３７】
なお、録画中のコンテンツが１つであるとき［１３−Ｎｏ］は、録画中のコンテンツがＨＤ（ＨＤ録画中）である場合を除いて［１５−Ｎｏ］、着信したＩＰ電話の動画（静止画）の画質及びまたは音質（通話品質）を一定の条件内で抑制する（画質及びまたは音質を標準的なレートよりも下げる）ことにより、そのままＩＰ電話に応答することが可能となる［１７］。一方で、録画中のコンテンツがＨＤ（ＨＤ録画中）である場合［１５−Ｙｅｓ］、ＩＰ電話の動画の再生をキャンセルして音声のみとすることで、ＩＰ電話に応答することができる［１８］。
【００３８】
このとき、例えば図４に示す録画中のコンテンツを表示している画面表示の所定位置、例えば「着信表示領域」４１１のテキスト表示領域４２１に、『ＩＰ電話が着信しましたが音声通話のみ可能です』等の、録画中のコンテンツによるシステムリソースの使用状況に応じたメッセージ（アラート）を表示することで、ユーザに、ＩＰ電話の機能に制限が生じることを、報知できる。なお、図４における「着信表示領域」４１１内の表示例は、一例ではあるが、ユーザにＩＰ電話の例えば着信があることを表示する「着信表示」４１２、送信元すなわち相手先を表示する「相手先表示」４１３、応答の方法を示す「応答表示＜１＞」４１４、「応答表示＜２＞」４１５、及び「応答表示＜３＞」４１６、等を含む。また、「応答表示＜１＞」４１４は、映像付の着信応答を、「応答表示＜２＞」４１５は、音声のみの着信応答を、及び「応答表示＜３＞」は、応答せず、を、それぞれ示すものとする。
【００３９】
なお、ＩＰ電話の利用の制限としては、例えば、    
１)送信する映像の画質、解像度、ビットレートを変更する（低下する）    
２)受信する映像の再生時の画質、解像度、ビットレートを変更する（低下する）    
３)送信する音声の音質を変更する（低下する）    
４)受信する音声の音質の再生時の品質を変更する（低下する）    
５)映像の送信を止め、音声のみによる通話を設定する（継続する）    
６)受信する映像の再生を止め、音声のみによる通話を設定する（継続する）    
等が含まれる。
【００４０】
また、上述したＨＤコンテンツの録画中にＩＰ電話が着信した場合の画面表示例は、図５に一例を示すが、「通話画面」５０１において、例えばＩＰ通話モードが起動していることを示す「モード表示」５１１、着信（通話待機）中であることを示す「着信中表示」５１２、「電話帳（相手先リスト）表示」５１３〜５１７、カメラの動作等を示す「動作表示」５１８、相手先と自身の顔の映像を表示する「映像表示」５１９及び５２０、及びメッセージ表示エリア５３１等が表示される。このとき、相手先空と自身の顔の映像を表示する「映像表示」５１９及び５２０は、非表示（映像なし、例えば［全域黒表示］）となる。また、メッセージ表示エリア５３１には、例えば『ＩＰ電話が着信しましたがＨＤコンテンツの録画中ですので音声通話のみ可能です』等の、録画中のコンテンツに基づくシステムリソースの使用状況に応じたメッセージ（アラート）を表示する。
【００４１】
ところで、ＩＰ電話による通話中に、例えば録画予約に基づく「予約録画」の開始時刻が到来した場合（もしくはその直前）は、メッセージ表示エリア５３１に、例えば『録画予約に基づく録画を開始します／ＩＰ電話は音声通話のみ可能です』等の、コンテンツの録画開始に伴う、システムリソースの使用状況に応じたメッセージ（アラート）を表示する。また、メッセージの表示は、録画開始時刻よりも、１〜数分程度先行することが好ましい。すなわち、録画開始に伴う、ＩＰ電話の利用の制限が生じることに関連して、ＩＰ電話による通話を終了し、あるいはモバイル端末を用いる通話に切り換えることが可能となる。
【００４２】
なお、上述した録画予約に基づく予約録画の開始における録画コンテンツとＩＰ電話の利用の制限については、図２における［１３］〜［１５］に従い、判定される。
【００４３】
また、録画予約に基づく予約録画は、その録画が開始する時刻が予め設定（入力）されているので、開始する予定時間よりも一定時間前に、映像が送信または受信できなくなること（録画対象コンテンツがＨＤコンテンツであるとき）、あるいは映像の画質及びまたは通話の音質が（標準設定よりも）低下する旨を、メッセージ表示で示すことも可能である。
【００４４】
すなわち、ＩＰ電話を用いて映像つきの通話中に、システムに負荷がかかる処理が増大する場合には、例えば映像の品質が変化（低下）すること、もしくは映像の送信または受信ができなくなること、をメッセージ表示で示すことができる。また、通話中において、システムに負荷がかかる処理が開始、もしくは開始する予定時間が近づいている時、等においては、一定時間前に、映像の画質及びまたは通話の音質が（標準設定よりも）低下する旨を、ユーザに知らせることができる。
【００４５】
また、コンテンツの録画中に利用の制限が生じているＩＰ電話による通話中に、録画が終了すると、図３に一例を示すが、１つ以上の録画が終了したことが検出され［２１］、終了した録画がＨＤ録画である場合［２２−Ｙｅｓ］は、図５に示す「映像表示」５１９及び５２０に、相手先及び自身の映像が表示される［２３］。このとき、メッセージ表示エリア５３１に、例えば『予約録画が終了しました／ＩＰ電話の映像を再生します』等のメッセージを表示してもよい。
【００４６】
なお、コンテンツの録画中に利用の制限が生じているＩＰ電話による通話中に終了する録画がＨＤ録画以外である場合［２２−Ｎｏ］には、現在通話中のＩＰ電話の利用の制限の状況が、例えば画質及びまたは音質の設定が標準設定未満の設定である場合［２４−Ｙｅｓ］には、標準設定の画質及びまたは音質（通話設定）に戻される［２５］。なお、録画中のコンテンツが、ＩＰ電話の通話品質に影響を及ぼしていない（コンテンツの録画が長時間モード等であって、ＩＰ電話の通話設定（通話品質）が標準設定の画質及びまたは音質でＩＰ電話が通話できている）場合は、そのままＩＰ電話による通話を維持する［２６］。また、録画予約に基づく予約録画は、その録画が終了する時刻が予め設定（入力）されているので、終了する予定時間よりも一定時間前に、映像が付加できること（録画中コンテンツがＨＤであるとき）、あるいは映像の画質及びまたは通話の音質が（標準設定に）復帰（改善）する旨を、メッセージ表示で示すことも可能である。
【００４７】
すなわち、ＩＰ電話を用いて映像つきの通話中に、システムに負荷がかかる処理が終了する場合には、映像の品質が向上することをメッセージ表示で示すことができる。また、通話中において、システムに負荷がかかる処理が終了、もしくは終了する予定時間が予め判明している時、等においては、一定時間前に、映像の画質及びまたは通話の音質が（標準設定に）復帰（改善）する旨を、ユーザに知らせることができる。
【００４８】
従って、システムリソースを増大することによるコストの上昇を抑えながら、通常使用時に、システムリソースが大幅に余剰することを防止し、さらに、動画が付属する通信が可能な通信機能(ＩＰ電話)と番組の記録を実現する記録再生装置及び映像音声出力制御方法を実現できる。
【００４９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５０】
１…インターネット網、１０１…テレビジョン受信装置（テレビ装置、記録再生装置、電子機器）、１２１…音声処理部、１３１…映像処理部、１５０…制御部、１５１…ＣＰＵ、１６０…ストレージ、１７１…ネットワークコントローラ、１９０…ＩＰ電話コントローラ、１９１…ＩＰ電話入力出力部。
【図１】
2014072662.tif 000003
【図２】
2014072662.tif 000004
【図３】
2014072662.tif 000005
【図４】
2014072662.tif 000006
【図５】
2014072662.tif 000007